(57)【要約】【課題】複数のオペレータ間の競合性を維持しつつ、当該複数のオペレータが自社の無線リソースを効率的に使用させる。切替対象の端末及び同一エリアに存在する他の端末に高い性能を維持させる。【解決手段】第１オペレータの第１ネットワークを管理する管理装置は、第２オペレータの第２ネットワークを管理する第２管理装置に接続され、第１ネットワークの基地局に接続中かつ第１オペレータと契約中の第１端末の接続を前記第２ネットワークの切替先候補基地局に切り替え、かつ前記第２ネットワークの基地局に接続中かつ前記第２オペレータと契約中の第２端末の接続を第１ネットワークの切替先候補基地局に切り替える、切替処理の許否を、第１端末の通信品質情報と第２端末の通信品質情報との比較結果に基づいて判定し、切替を許可した第１端末と第２端末との組み合わせに対する切替許可応答を、第２管理装置から受信した場合、該切替処理を開始する。【選択図】図３
2017038216.tif 000002
【特許請求の範囲】
【請求項１】
第１オペレータの第１ネットワークを管理し、第２オペレータの第２ネットワークを管理する第２管理装置に接続された、管理装置であって、
プロセッサと記憶装置とを含み、
前記記憶装置は、
前記第１ネットワークの基地局に接続中かつ前記第１オペレータと契約中の端末から選択された第１切替候補端末群と、前記第１切替候補端末群の端末それぞれの接続中基地局と、前記第１切替候補端末群の端末それぞれの通信品質情報と、前記第１切替候補端末群の端末それぞれが電波を受信可能な前記第２ネットワークの切替先候補基地局と、を示す第１切替候補端末リストと、
前記第１切替候補端末群の端末の接続を前記第２ネットワークの切替先候補基地局に切り替え、かつ前記第２ネットワークの基地局に接続中かつ前記第２オペレータと契約中の第２切替候補端末群の端末の接続を前記第１ネットワークの切替先候補基地局に切り替える、切替処理の許否を判定するための切替条件と、
前記第１切替候補端末群の端末それぞれの認証情報と、を保持し、
前記プロセッサは、
前記第２切替候補端末群の第２端末と、前記第２端末の通信品質情報と、を示す第２端末情報を、前記第２管理装置から受信し、
前記第１切替候補端末群の端末それぞれの通信品質情報と、前記第２端末の通信品質情報と、を比較する、比較処理を行い、
前記比較処理の結果が前記切替条件を満たす、前記第１切替候補端末群に含まれる第１端末と前記第２端末とからなる組み合わせと、前記第１端末の通信品質情報と、を示す情報を前記第２管理装置に送信し、
前記第２管理装置から、前記組み合わせに対する切替許可応答を受信した場合、
前記第１端末の認証情報を前記第２管理装置に送信し、
前記第２端末の認証情報を前記第２管理装置から受信し、
前記第１ネットワークに含まれるユーザ情報データベースに対して、前記第２端末の認証情報を送信し、
前記第１切替候補端末リストを参照して、前記第１端末の接続を前記第１端末が電波を受信可能な前記第２ネットワークの切替先候補基地局に切り替える指示を、前記第１端末の接続中基地局に対して送信する、管理装置。
【請求項２】
請求項１に記載の管理装置であって、
前記切替条件は、前記切替処理が行われた場合における、前記第１ネットワークの無線リソースの使用量の第１改善量と、前記第２ネットワークの無線リソースの使用量の第２改善量と、の差が所定の閾値以内であること、であり、
前記第１切替候補端末群の端末それぞれの通信品質情報は、当該端末の現在の通信品質と、当該端末が前記切替処理の対象となった場合における当該端末の通信品質と、を含み、
前記第２端末の通信品質情報は、前記第２端末の現在の通信品質と、前記第２端末が前記切替処理の対象となった場合における前記第２端末の通信品質と、を含み、
前記プロセッサは、
前記比較処理において、
前記第１切替候補端末群の端末それぞれに対して、当該端末の通信品質情報に基づいて、前記第１改善量を算出し、
前記第２端末の通信品質情報に基づいて、前記第２改善量を算出する、管理装置。
【請求項３】
請求項２に記載の管理装置であって、
前記第１切替候補端末群の端末それぞれの通信品質情報は、当該端末が接続中基地局から受信する電波のＲＳＲＰ値と、当該端末が当該端末の切替先候補基地局から受信する電波のＲＳＲＰ値と、当該端末が前記第１ネットワーク下で得ているスループット値と、を含み、
前記第２端末の通信品質情報は、前記第２端末が接続中基地局から受信する電波の第１ＲＳＲＰ値と、前記第２端末が電波を受信可能な前記第１ネットワークの切替先候補基地局から受信する電波の第２ＲＳＲＰ値と、前記第２端末が前記第２ネットワーク下で得ている第１スループット値と、を含み、
前記プロセッサは、
前記比較処理において、
前記第１切替候補端末群の端末それぞれに対して、当該端末が接続中基地局から受信する電波のＲＳＲＰ値と、当該端末が当該端末の切替先候補基地局から受信する電波のＲＳＲＰ値と、当該端末が前記第１ネットワーク下で得ているスループット値と、に基づいて、に基づいて、前記第１改善量を算出し、
前記第１ＲＳＲＰ値と、前記第２ＲＳＲＰ値と、前記第１スループット値と、に基づいて、前記第２改善量を算出する、管理装置。
【請求項４】
請求項１に記載の管理装置であって、
前記第１切替候補端末リストは、前記第１切替候補端末群の端末それぞれの利用中アプリケーションを示し、
前記第２端末情報は、前記第２端末の利用中アプリケーションを示し、
前記切替条件は、前記第１切替候補端末群の端末の利用中アプリケーションと、前記第２切替候補端末群の利用中アプリケーションと、が同種のアプリケーションを含むこと、を含み、
前記プロセッサは、前記比較処理において、前記第１切替候補端末群の端末それぞれの利用中アプリケーションと、前記第２端末の利用中アプリケーションと、を比較する、管理装置。
【請求項５】
請求項１に記載の管理装置であって、
前記第１切替候補端末リストは、前記第１切替候補端末群の端末それぞれの契約プランを示し、
前記第２端末の品質改善情報は、前記第２端末の契約プランを示し、
前記切替条件は、前記第１切替候補端末群の端末の契約プランと、前記第２切替候補端末群の契約プランと、が同種であることを、含み、
前記プロセッサは、前記比較処理において、前記第１切替候補端末群の端末それぞれの契約プランと、前記第２端末の契約プランと、を比較する、管理装置。
【請求項６】
請求項１に記載の管理装置であって、
前記第１切替候補端末群の端末それぞれが接続中基地局から受信する電波の第３ＲＳＲＰ値は、第２閾値未満であり、
前記第１切替候補端末群の端末それぞれが切替先候補基地局から受信する電波の第４ＲＳＲＰ値と、前記第３ＲＳＲＰ値と、の差は、第３閾値より大きい、管理装置。
【請求項７】
請求項１に記載の管理装置であって、
前記プロセッサは、
前記切替処理により前記第１ネットワークの第１基地局に接続した前記第２オペレータと契約中の第３端末、の第１通信品質情報と、前記第３端末が前記第２ネットワークの第２基地局と接続した場合の第２通信品質情報と、前記第２基地局と、を示す第２情報を前記第１基地局から受信し、
前記第１通信品質情報と前記第２通信品質情報との比較結果が切戻条件を満たす場合、
前記第２情報を参照して、前記第３端末の前記第２基地局への切戻開始指示を、前記第１基地局に対して送信し、
前記ユーザ情報データベースに対して、前記第３端末の認証情報の削除指示を送信する、管理装置。
【請求項８】
請求項７に記載の管理装置であって、
前記第１通信品質情報は、前記第３端末が前記第１基地局から受信する電波の第５ＲＳＲＰ値であり、
前記第２通信品質情報は、前記第３端末が前記第２基地局から受信する電波の第６ＲＳＲＰ値であり、
前記切戻条件は、前記第５ＲＳＲＰ値が第４閾値未満であり、かつ前記第６ＲＳＲＰ値と前記第５ＲＳＲＰ値との差が第５閾値より大きいこと、である、管理装置。
【請求項９】
請求項１に記載の管理装置であって、
前記プロセッサは、
前記切替処理により前記第１ネットワークの第３基地局に接続した前記第２オペレータと契約中の第４端末、が前記第３基地局との通信を終了したことを示す切断通知を、前記第３基地局から受信した場合、
前記ユーザ情報データベースに対して、前記第４端末の認証情報の削除指示を送信する、管理装置。
【請求項１０】
第１オペレータの第１ネットワークを管理し、第２オペレータの第２ネットワークを管理する第２管理装置に接続された、管理装置であって、
プロセッサと記憶装置とを含み、
前記記憶装置は、
前記第１ネットワークの基地局に接続中かつ前記第１オペレータと契約中の端末から選択された第１端末と、前記第１端末の接続中基地局と、前記第１端末の通信品質情報と、前記第１端末が電波を受信可能な前記第２ネットワークの切替先候補基地局と、を示す第１端末情報と、
前記第１端末の接続を前記第２ネットワークの切替先候補基地局に切り替え、かつ前記第２ネットワークの基地局に接続中かつ前記第２オペレータと契約中の第２切替候補端末群の端末の接続を前記第１ネットワークの切替先候補基地局に切り替える、切替処理の許否を判定するための切替条件と、
前記第１端末の認証情報と、を保持し、
前記プロセッサは、
前記第１端末情報を前記第２管理装置に送信し、
前記第１端末と前記第２切替候補端末群の第２端末とからなる組み合わせと、前記第２端末の品質改善情報と、を示す情報を、前記第２管理装置から受信し、
前記第１端末の通信品質情報と、前記第２端末の通信品質情報と、の比較を行い、
前記比較の結果が前記切替条件を満たす場合、
前記組み合わせに対する切替許可応答を前記第２管理装置に送信し、
前記第１端末の認証情報を前記第２管理装置に送信し、
前記第２端末の認証情報を前記第２管理装置から受信し、
前記第１ネットワークに含まれるユーザ情報データベースに対して、前記第２端末の認証情報を送信し、
前記第１端末情報を参照して、前記第１端末の接続を前記第１端末が電波を受信可能な前記第２ネットワークの切替先候補基地局に切り替える指示を、前記第１端末の接続中基地局に対して送信する、管理装置。
【請求項１１】
第１オペレータの第１ネットワークを管理する第１管理装置と、
前記第１管理装置に接続され、第２オペレータの第２ネットワークを管理する第２管理装置と、
前記第１ネットワークに含まれ、前記第１オペレータの端末のユーザ情報を保持する第１ユーザ情報データベースと、
前記第２ネットワークに含まれ、前記第２オペレータの端末のユーザ情報を保持する第２ユーザ情報データベースと、を含む通信システムであって、
前記第１管理装置は、
前記第１ネットワークの基地局に接続中かつ前記第１オペレータと契約中の端末から選択された第１切替候補端末群と、前記第１切替候補端末群の端末それぞれの接続中基地局と、前記第１切替候補端末群の端末それぞれの通信品質情報と、前記第１切替候補端末群の端末それぞれが電波を受信可能な前記第２ネットワークの切替先候補基地局と、を示す第１切替候補端末リストと、
前記第１切替候補端末群の端末の接続を前記第２ネットワークの基地局に切り替え、かつ前記第２ネットワークの基地局に接続中かつ前記第２オペレータと契約中の第２切替候補端末群の端末の接続を前記第１ネットワークの基地局に切り替える、切替処理の許否を判定するための第１切替条件と、
前記第１切替候補端末群の端末それぞれの認証情報と、を保持し、
前記第２管理装置は、
前記第２切替候補端末群の第２端末と、前記第２端末の接続中基地局と、前記第２端末の通信品質情報と、前記第２端末が電波を受信可能な前記第１ネットワークの切替先候補基地局と、を示す第２端末情報と、
前記切替処理の許否を判定するための第２切替条件と、
前記第２切替候補端末群の端末それぞれの認証情報と、を保持し、
前記第１管理装置は、
前記第２端末と、前記第２端末の通信品質情報と、を示す情報を、前記第２管理装置から受信し、
前記第１切替候補端末群の端末それぞれの通信品質情報と、前記第２端末の通信品質情報と、の比較を行い、
前記比較の結果が前記第１切替条件を満たす、前記第１切替候補端末群に含まれる第１端末と前記第２端末とからなる組み合わせと、前記第１端末の品質改善情報と、を前記第２管理装置に通知し、
前記第１端末の通信品質情報と、前記第２端末の通信品質情報と、の比較結果が、前記第２切替条件を満たす場合、
前記第２管理装置から、切替応答許可を受信し、
前記第１端末の認証情報を前記第２管理装置に送信し、
前記第２端末の認証情報を前記第２管理装置から受信し、
前記第１ユーザ情報データベースに対して、前記第２端末の認証情報を送信し、
前記第１切替候補端末リストを参照して、前記第１端末の接続を前記第１端末が電波を受信可能な前記第２ネットワークの切替先候補基地局に切り替える指示を、前記第１端末の接続中基地局に対して送信し、
前記第２管理装置は、
前記第２ユーザ情報データベースに対して、前記第１端末の認証情報を送信し、
前記第２端末情報を参照して、前記第２端末の接続を前記第２端末が電波を受信可能な前記第１ネットワークの切替先候補基地局に切り替える指示を、前記第２端末の接続中基地局に対して送信する、通信システム。
【発明の詳細な説明】
【技術分野】
【０００１】
本発明は、ネットワークを管理する管理装置、及び通信システムに関する。
【背景技術】
【０００２】
近年、スマートフォンやタブレット端末の急速な普及に伴い、無線通信に対する需要は増加の一途をたどっている。回線を増設することで通信容量を増大できる有線通信とはことなり、無線通信では使用できる周波数帯域に限りがあり、通信量が増大すると、通信容量を逼迫することがある。この際、無線通信により通信を行う端末のユーザは、データ通信の速度の低下や、つながりにくさを経験する。
【０００３】
この事態を緩和する技術として、トラフィックオフロードが知られている。トラフィックオフロードは、データ通信を異なる無線システム、もしくは周波数へ移動させることで負荷が高いシステムの負荷の一部を、負荷の低いシステムに移動させる技術である。
【０００４】
また、端末を異なるオペレータのネットワークへ切替可能な技術として、非特許文献１に記載の、ローミングサービスがある。ローミングサービスは、端末が契約中のオペレータ（携帯電話会社）の電波が届かない場所へ移動したとき、当該オペレータが提携する他のオペレータのネットワークを、当該端末に利用させるものである。例えば、端末が海外へ移動した際に、現地のオペレータのサービスを利用するインターナショナルローミングや、提携する国内のオペレータ間でローミングサービスを提供するナショナルローミングが存在する。
【先行技術文献】
【非特許文献】
【０００５】
【非特許文献１】３ＧＰＰ  ＴＳ  ２３．４０２  Ｖ９．１３．０、（２０１４−０６）、４．２．３  Ｒｏａｍｉｎｇ  Ａｒｃｈｉｔｅｃｔｕｒｅｓ  ｆｏｒ  ＥＰＳ
【発明の概要】
【発明が解決しようとする課題】
【０００６】
モバイル通信では、複数のオペレータが同一エリアをカバーしているケースが存在する。電波環境などの要因により、例えば、オペレータＡの無線通信システムのほうがオペレータＢの無線通信システムより性能がよい地域、及びオペレータＢの無線通信システムのほうがオペレータＡの無線通信システムより性能がよい地域の双方が存在し得る。同一エリアをカバーするオペレータの通信システムの電波環境の差は、オペレータが設置する基地局数、使用する周波数、及びアンテナの位置並びに方向などの違いにより生じる。
【０００７】
オペレータＡ、Ｂ間でローミングが許可されていない場合、オペレータＡの無線通信システムのほうが性能がよい地域にいるオペレータＢの端末は、オペレータＡの無線通信システムに移動することができない。従って、この場合、当該端末は性能が悪いまま通信を行わなければならない。
【０００８】
また、オペレータの観点においては、電波の受信環境が悪く通信速度の低くなった端末を自社のカバーエリア内に保有し続けることにより、当該端末に割り当てる無線リソースの使用量が増加する、又はリソースの保有時間が長くなるため、同一エリア内に存在する他の端末の性能を劣化させる事態が発生する。
【０００９】
これは、ユーザエクスペリエンスを低下させる恐れがあり、オペレータはこのような事態を回避するため、オフロードやネットワークの拡張などの対策を進めているが、自社のリソースでは限りがある。
【００１０】
一方、同一エリアをカバーするオペレータＡ、Ｂ間でローミングが許可されている場合、端末はより性能がよいオペレータのネットワークを使用することで高い性能のサービスを維持することができる。しかし、このような場合にローミングが許可されると、オペレータＡ、Ｂ間での差別化は図れなくなり、ひいてはオペレータ間の競合を維持することができなくなる。これは、つながりやすさや、通信エリアの広さが、オペレータ間における差別化のポイントであるからである。本発明の一態様は、複数のオペレータ間の競合性を維持しつつ、当該複数のオペレータが自社の無線リソースを効率的に使用させることを目的とする。さらに、本発明の一態様は、切替対象の端末及び同一エリアに存在する他の端末に高い性能を維持させることを目的とする。
【課題を解決するための手段】
【００１１】
上記課題を解決するために、本発明の一態様は以下の構成を採用する。第１オペレータの第１ネットワークを管理し、第２オペレータの第２ネットワークを管理する第２管理装置に接続された、管理装置であって、プロセッサと記憶装置とを含み、前記記憶装置は、前記第１ネットワークの基地局に接続中かつ前記第１オペレータと契約中の端末から選択された第１切替候補端末群と、前記第１切替候補端末群の端末それぞれの接続中基地局と、前記第１切替候補端末群の端末それぞれの通信品質情報と、前記第１切替候補端末群の端末それぞれが電波を受信可能な前記第２ネットワークの切替先候補基地局と、を示す第１切替候補端末リストと、前記第１切替候補端末群の端末の接続を前記第２ネットワークの切替先候補基地局に切り替え、かつ前記第２ネットワークの基地局に接続中かつ前記第２オペレータと契約中の第２切替候補端末群の端末の接続を前記第１ネットワークの切替先候補基地局に切り替える、切替処理の許否を判定するための切替条件と、前記第１切替候補端末群の端末それぞれの認証情報と、を保持し、前記プロセッサは、前記第２切替候補端末群の第２端末と、前記第２端末の通信品質情報と、を示す第２端末情報を、前記第２管理装置から受信し、前記第１切替候補端末群の端末それぞれの通信品質情報と、前記第２端末の通信品質情報と、を比較する、比較処理を行い、前記比較処理の結果が前記切替条件を満たす、前記第１切替候補端末群に含まれる第１端末と前記第２端末とからなる組み合わせと、前記第１端末の通信品質情報と、を示す情報を前記第２管理装置に送信し、前記第２管理装置から、前記組み合わせに対する切替許可応答を受信した場合、前記第１端末の認証情報を前記第２管理装置に送信し、前記第２端末の認証情報を前記第２管理装置から受信し、前記第１ネットワークに含まれるユーザ情報データベースに対して、前記第２端末の認証情報を送信し、前記第１切替候補端末リストを参照して、前記第１端末の接続を前記第１端末が電波を受信可能な前記第２ネットワークの切替先候補基地局に切り替える指示を、前記第１端末の接続中基地局に対して送信する、管理装置。
【発明の効果】
【００１２】
本発明の一態様によれば、複数のオペレータ間の競合性を維持しつつ、当該複数のオペレータが自社の無線リソースを効率的に使用させることができる。さらに、本発明の一態様によれば、切替対象の端末及び同一エリアに存在する他の端末に高い性能を維持させることができる。
【００１３】
上記した以外の課題、構成及び効果は、以下の実施形態の説明により明らかにされる。
【図面の簡単な説明】
【００１４】
【図１】実施例１における通信システムの構成例を示すブロック図である。
【図２】実施例における端末が他オペレータのネットワークへ接続の切替を行う状況の一例を示す説明図である。
【図３】実施例１における管理装置の構成例を示すブロック図である。
【図４】実施例１におけるＲＳＲＰ値測定結果の一例である。
【図５】実施例１における候補端末リストの一例である。
【図６】実施例１におけるマスタルールテーブルの一例である。
【図７】実施例１における候補端末リストの更新処理の一例を示すシーケンス図である。
【図８Ａ】実施例１における、オペレータ間の切替処理の一例の前半部分を示すシーケンス図である。
【図８Ｂ】実施例１における、オペレータ間の切替処理の一例の後半部分を示すシーケンス図である。
【図９】実施例１における、電波環境の改善を契機とした切戻処理の一例を示すシーケンス図である。
【図１０】実施例１における、サービスの終了を契機とした切戻処理の一例を示すシーケンス図である。
【図１１】実施例１における、管理装置が他の管理装置へ候補端末リストを送信する処理の一例を示すフローチャートである。
【図１２】実施例１における、管理装置が切替条件を満たす端末の組み合わせを検索し切替処理を実施する動作の一例を示すフローチャートである。
【図１３】実施例１における、切替可否を決定する処理の一例を示すフローチャートである。
【図１４】実施例１において、ｅＮＢより切替結果を受信した後の管理装置の動作の一例を示すフローチャートである。
【図１５】実施例１における切替の条件に用いられる指標の一例である。
【発明を実施するための形態】
【００１５】
以下、添付図面を参照して、本発明の実施形態を説明する。なお、本実施形態は、通信システムを説明する。通信システムに含まれる管理装置は、無線通信サービスを行う複数のオペレータ間で端末の情報を交換し、２オペレータの端末が予め定められた条件を満たす場合、一時的に相互に端末の切替を許可し、端末を交換する。
【００１６】
なお端末の交換とは、例えば、オペレータＡが所有するネットワークａと、オペレータＢが所有するネットワークｂの双方が存在するエリアにおいて、ネットワークａに接続し、オペレータＡと契約する端末１と、ネットワークｂに接続し、オペレータＢと契約している端末２と、が存在する場合において、端末１をネットワークｂに、端末２をネットワークａに一時的に移動させることを意味する。
【００１７】
また、切替条件とは、管理装置が端末の交換を実施するか否かを判断する条件である。端末１、端末２の間で改善するリソース使用量が同値であること、又は当該リソース使用量の改善量の差が所定の閾値以下であることは、切替条件の一例である。本実施形態では、通信システムがＬＴＥ（Ｌｏｎｇ  Ｔｅｒｍ  Ｅｖｏｌｕｔｉｏｎ）のネットワークに適用される例を説明するが、他の世代の無線方式に適用されてもよい。
【実施例１】
【００１８】
図１は、本実施例の通信システム構成例を示すブロック図である。通信システム１０は、インターネット１０８、オペレータＡが保有するキャリアネットワークＡ１０７−１、及びオペレータＢが保有するキャリアネットワークＢ１０７−２を含む。
【００１９】
なお、本実施例において、キャリアネットワークＡ１０７−１及びキャリアネットワークＢ１０７−２について、特にオペレータを区別せずに双方のキャリアネットワークについて説明する場合、単に、キャリアネットワーク１０７と表記する。キャリアネットワーク１０７に含まれるその他の構成についても、特にオペレータを区別せずに当該その他の構成の説明する場合には、同様の表記とする。
【００２０】
キャリアネットワーク１０７は、例えば、管理装置１００、ＨＳＳ（Ｈｏｍｅ  Ｓｕｂｓｃｒｉｂｅｒ  Ｓｅｒｖｅｒ）１０１、ＭＭＥ（Ｍｏｂｉｌｉｔｙ  Ｍａｎａｇｅｍｅｎｔ  Ｅｎｔｉｔｙ）１０２、ＰＧＷ（ＰＤＮ  Ｇａｔｅｗａｙ）１０３、ＳＧＷ（Ｓｅｒｖｉｎｇ  Ｇａｔｅｗａｙ）１０４、及びｅＮＢ１０５（Ｅ−ＵＴＲＡＮ  ＮｏｄｅＢ）を含む。
【００２１】
端末Ａ１０６−１は、オペレータＡと契約する通信端末であり、端末Ｂ１０６−２はオペレータＢと契約している通信端末である。端末１０６は、例えば、携帯電話、スマートフォン、又はその他の携帯型情報端末等である。
【００２２】
キャリアネットワーク１０７は、端末１０６にサービスを提供するネットワークであり、本実施例では、キャリアネットワークＡ１０７−１、キャリアネットワークＢ１０７−２は、端末１０６が相互に切替を実行可能なネットワークである。なお、本実施例の通信システム１０は２オペレータのキャリアネットワーク１０７を含んでいるが、３以上のオペレータのキャリアネットワーク１０７を含んでもよい。このとき当該３以上のオペレータのキャリアネットワーク１０７それぞれが、少なくとも１以上の他オペレータのキャリアネットワーク１０７に接続されている。
【００２３】
ｅＮＢ１０５は、ＬＴＥ基地局装置であり、自オペレータの管理装置１００、ＳＧＷ−Ａ１０４、及びＭＭＥ１０２に接続されている。ＭＭＥ１０２は、ネットワーク制御を扱うコントロールプレーンのアクセスゲートウェイであり、自オペレータのＳＧＷ１０４、ＨＳＳ１０１、及びｅＮＢ１０５に接続されている。ＭＭＥ１０２は、自オペレータの端末１０６が利用しているアプリケーションの情報を保持する。ＳＧＷ１０４は、ユーザデータのユーザプレーンを扱うゲートウェイであり、自オペレータのＰＧＷ１０３、ＭＭＥ１０２、及びｅＮＢ１０５、並びに他オペレータのＰＧＷ１０３に接続されている。
【００２４】
ＰＧＷ１０３は、ＬＴＥネットワーク以外と接続を行うためのゲートウェイであり、インターネット１０８に接続されている。また、ＰＧＷ１０３は、自オペレータのＳＧＷ１０４、及び他オペレータのＳＧＷ１０４に接続されている。ＨＳＳ１０１は、携帯電話番号や端末識別番号などのユーザ情報を管理するデータベースであり、管理装置１００及びＭＭＥ１０２に接続されている。
【００２５】
管理装置１００は、自オペレータのＨＳＳ１０１及びｅＮＢ１０５、並びに他オペレータの管理装置１００と接続され、他社ネットワークへの切替を希望する端末１０６の情報を交換し、切替の可否及び切替先を決定する装置である。
【００２６】
例えば、端末Ａ１０６−１がオペレータＢのネットワークに切り替えられた場合、端末Ａ１０６−１は、ｅＮＢ−Ｂ１０５−２、ＳＧＷ−Ｂ１０４−２、及びＰＧＷ−Ａ１０３−１を経由して、インターネット１０８に接続する。同様に、端末Ｂ１０６−２がオペレータＡのネットワークに切り替えられた場合、端末Ｂ１０６−２は、ｅＮＢ−Ａ１０５−１、ＳＧＷ−Ａ１０４−１、及びＰＧＷ−Ｂ１０３−２を経由して、インターネット１０８に接続する。
【００２７】
図２は、管理装置１００が、自オペレータの端末１０６を他オペレータのネットワークへの切替を行う状況の一例を示す。ＯｐｅｒａｔｏｒＡ−Ｃｅｌｌ２００−１〜２００−４は、互いに異なるｅＮＢ―Ａ１０５−１がカバーする通信範囲である。ＯｐｅｒａｔｏｒＢ−Ｃｅｌｌ２０１−１〜２０１−４は、互いに異なるｅＮＢ―Ｂ１０５−２がカバーする通信範囲である。
【００２８】
端末Ａ１０６−１は、オペレータＡのネットワークに属する端末であり、端末Ｂ１０６−２は、オペレータＢのネットワークに属する端末である。なお、セル内で端末１０６が受信する電波の強度は、ｅＮＢ１０５から近いほど強い。また、ｅＮＢ１０５から離れた場所、特にセルエッジでは干渉によるスループットの低下や圏外エリアの発生が起こりやすい。
【００２９】
図２のように、電波環境などにより、一方のオペレータのキャリアネットワーク１０７のほうが性能がよい地域、他方のオペレータの通信システム１０のほうが性能がよい地域の双方が存在し得る。例えば、図２において、端末Ａ１０６−１はオペレータＡのネットワークのセルエッジに位置し、オペレータＢのネットワークへ移動した方がセルの中心に近く、より良い性能を得られる。
【００３０】
反対に、図２において、端末Ｂ１０６−２は、オペレータＢのネットワークのセルエッジに位置し、オペレータＡのネットワークへ移動したほうがよりよい性能を得られる。管理装置１００は、例えば、自オペレータの端末１０６が他オペレータのネットワークへ切り替えた方が性能の良いサービスを受けられるという状況下で端末１０６の他オペレータへのネットワークの切替処理を行う。
【００３１】
図３は、本実施例における管理装置１００の構成の一例を示すブロック図である。管理装置１００は、例えば、プロセッサ（ＣＰＵ）３１１、メモリ３１２、補助記憶装置３１３及び通信インターフェース３１４、及びタイマ３１０を有する計算機によって構成される。
【００３２】
プロセッサ３１１は、メモリ３１２に格納されたプログラムを実行する。メモリ３１２は、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Ｄｙｎａｍｉｃ  Ｒａｎｄｏｍ  Ａｃｃｅｓｓ  Ｍｅｍｏｒｙ）のような高速かつ揮発性の記憶素子であり、プロセッサ３１１が実行するプログラム及びプログラムの実行時に使用されるデータを一時的に格納する。
【００３３】
補助記憶装置３１３は、例えば、磁気記憶装置（ＨＤＤ）、フラッシュメモリ（ＳＳＤ）等の大容量かつ不揮発性の記憶装置であり、プロセッサ３１１が実行するプログラム及びプログラムの実行時に使用されるデータを格納する。すなわち、プログラムは、メモリ３１２又は補助記憶装置３１３から読み出されて、メモリ３１２にロードされて、プロセッサ３１１によって実行される。メモリ３１２に格納されているプログラム及びデータの一部又は全部が補助記憶装置３１３に格納されていてもよいし、補助記憶装置３１３に格納されているプログラム及びデータの一部又は全部がメモリ３１２に格納されていてもよい。
【００３４】
管理装置１００は、入力インターフェース３１５及び出力インターフェース３１８を有してもよい。入力インターフェース３１５は、キーボード３１６やマウス３１７などが接続され、利用者からの入力を受けるインターフェースである。出力インターフェース３１８は、ディスプレイ装置３１９やプリンタなどが接続され、プログラムの実行結果を利用者が視認可能な形式で出力するインターフェースである。
【００３５】
通信インターフェース３１４は、所定のプロトコルに従って、他の装置との通信を制御するネットワークインターフェース装置である。また、通信インターフェース３１４は、例えば、ＵＳＢ等のシリアルインターフェースを含む。
【００３６】
プロセッサ３１１が実行するプログラムは、リムーバブルメディア（ＣＤ−ＲＯＭ、フラッシュメモリなどなどのコンピュータ読み取り可能な可搬性の非一時的記憶媒体）又はネットワークを介して管理装置１００に提供され、非一時的記憶媒体である不揮発性の補助記憶装置３１３に格納されてもよい。このため、管理装置１００は、リムーバブルメディアからデータを読み込むインターフェースを有するとよい。
【００３７】
管理装置１００は、物理的に一つの計算機上で、又は、論理的又は物理的に構成された複数の計算機上で構成される計算機システムであり、同一の計算機上で別個のスレッドで動作してもよく、複数の物理的計算機資源上に構築された仮想計算機上で動作してもよい。
【００３８】
メモリ３１２は、それぞれプログラムである、測定結果取得部３０１、契約・認証情報取得部３０２、利用中Ａｐｐ情報取得部３２１、切替結果受信部３０４、切替先情報送信部３０３、他社管理装置通信部３０５、候補端末リスト作成部３０６、及び候補端末決定部３０７を含む。補助記憶装置３１３は、データ等を格納する領域である、候補端末リスト格納部３０８及び切替条件格納部３０９及びマスタルールテーブル格納部３２０を含む。
【００３９】
プロセッサ３１１は、プログラムに従って動作することによって、所定の機能を実現する機能部として動作する。例えば、プロセッサ３１１は、測定結果取得部３０１に従って動作することで測定結果取得部として機能し、契約・認証情報取得部３０２に従って動作することで契約・認証情報取得部として機能する。さらに、プロセッサ３１１は、各プログラムが実行する複数の処理のそれぞれを実現する機能部としても動作する。計算機及び計算機システムは、これらの機能部を含む装置及びシステムである。
【００４０】
測定結果取得部３０１は、自オペレータのｅＮＢ１０５から端末１０６の周波数間電波強度測定結果を受信する。周波数間電波強度とは、端末１０６が受信可能なセルの電波強度を示す。周波数電波強度の詳細については後述する。契約・認証情報取得部３０２は、切替の候補となる自オペレータの端末１０６の契約情報及び認証情報を、自オペレータのＨＳＳ１０１から取得する。
【００４１】
契約・認証情報取得部３０２は、測定結果取得部３０１が周波数間電波強度測定結果を受信後に、自オペレータのＨＳＳ１０１から、自オペレータと契約している端末１０６の契約情報を取得する。契約・認証情報取得部３０２は、管理装置１００間で端末１０６の切替を実行する際に、自オペレータのＨＳＳ１０１から、自オペレータと契約している端末１０６の認証情報を取得する。
【００４２】
利用中Ａｐｐ情報取得部３２１は、測定結果取得部３０１が周波数間電波強度測定結果を受信後に、自オペレータのＭＭＥ１０２から、端末１０６が利用しているアプリケーションの情報を取得する。候補端末リスト作成部３０６は、他オペレータへの切替条件を満たす端末１０６の、周波数間電波強度測定結果、契約情報、及び利用中Ａｐｐ情報等を含む候補端末リストを作成する。候補端末リスト格納部３０８は、候補端末リスト作成部３０６が作成した候補端末リストを格納する。
【００４３】
切替条件格納部３０９は、端末１０６の切替を実行するための条件である切替条件を格納する。切替条件とは、候補端末決定部３０７が、端末１０６の交換を実行するか否かを判断するための条件である。例えば、異なるオペレータのネットワークに属する端末１０６間で改善するリソース使用量が同値であること、及び当該リソース使用量の改善量の差が所定の閾値以下あること、は切替条件の一例である。
【００４４】
切替条件は予め他オペレータとの間で合意されたものであることが好ましい。管理装置１００は、複数のオペレータ間で予め設定した条件に一致する端末１０６の切替を許可することにより、オペレータ間で等価取引を行う仕組みを提供し、同一エリアをカバーする競合オペレータへの収益の流出を防ぐことができる。
【００４５】
他社管理装置通信部３０５は、他社の管理装置１００と接続し、候補端末リストの送受信や、決定した候補端末１０６の情報の送受信を行う。なお、本実施形態において、「社」とオペレータは同義である。即ち、「他社」と「他オペレータ」は同義であり、同様に「自社」と「自オペレータ」は同義である。
【００４６】
マスタルールテーブル格納部３２０は、２オペレータ間でマスタとなるオペレータを決定するマスタルールテーブルを格納する。他社管理装置通信部３０５は、マスタルールテーブルを参照して、自社が他社との間でマスタであるか否かを判定し、当該判定結果に基づいて行う処理を決定する。なお、マスタであるオペレータの管理装置１００が行う処理とマスタでないオペレータの管理装置１００が行う処理との違い、及びマスタルールテーブルの詳細については後述する。
【００４７】
候補端末決定部３０７は、他社の管理装置１００から受信した候補端末の情報と、切替条件とを照らし合わせ、自社の端末１０６の中から、切替に適した端末１０６を決定する。切替先情報送信部３０３は、切替を行う端末１０６が決定された際、自社の端末１０６がどのオペレータのｅＮＢ１０５へ切り替えるかを示した情報を自オペレータのｅＮＢ１０５へ送信する。切替結果受信部３０４は、切替処理の後、切替対象となる端末１０６の切替が成功したか、失敗したかの結果をｅＮＢ１０５から受信する。タイマ３１０は、候補端末リスト格納部３０８に格納された候補端末リストを他社の管理装置１００に送信する周期をカウントする。
【００４８】
以下、例えば、測定結果取得部３０１が管理装置Ａ１００−１の構成であることを明示する場合、測定結果取得部Ａ３０１−１と表記し、測定結果取得部３０１が管理装置Ｂ１００−２の構成であることを明示する場合、測定結果取得部Ｂ３０１−２と表記する。管理装置１００に含まれるその他の構成についても、同様の表記とする。
【００４９】
図４は、端末１０６がｅＮＢ１０５から周波数間電波強度測定制御を受信した際、ｅＮＢ１０５へ送信する測定結果のフォーマットの一例である。測定結果９００は、例えば、当該端末１０６の端末識別情報と、当該端末１０６が通信している通信中セルの測定結果と、当該通信中セルの隣接セルの測定結果と、を含む。端末識別情報は、端末１０６を識別する情報であり、例えばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などの、端末１０６それぞれに固有で割り振られた番号である。ＩＭＳＩは、国を表す番号、オペレータの識別番号、及び加入者識別番号により構成される。
【００５０】
通信中セルは、端末１０６が周波数間電波強度測定制御を受信した時点で通信を行っているｅＮＢ１０５がカバーする通信範囲である。隣接セルとは、端末１０６が同時に受信可能な通信中セル以外のセルである。
【００５１】
通信中セルの測定結果及び隣接セルの測定結果それぞれは、セルＩＤと、ＲＳＲＰ（Ｒｅｆｅｒｅｎｃｅ  Ｓｉｇｎａｌ  Ｒｅｃｅｉｖｅｄ  Ｐｏｗｅｒ）値を含む。セルＩＤは、セルごとにユニークに割り当てられるセルの識別子である。ＲＳＲＰは、端末１０６が受信するリファレンス信号（ＲＳ）の受信電力である。ＲＳＲＰは、呼接続やハンドオーバの基準となり、管理装置１００は複数のセルのＲＳＲＰを比較することで、端末１０６をより品質の高いセルへのハンドオーバさせることが可能となる。
【００５２】
測定結果取得部３０１は、通信中セルと、隣接セルの測定結果を取得することで、管理装置１００は、端末１０６がどのセルと通信を行えばより良い通信性能を得ることができるかを判断できる。本実施例では、測定結果に含まれる情報としてＲＳＲＰを挙げているが、例えば、ＲＳＲＱ（Ｒｅｆｅｒｅｎｃｅ  Ｓｉｇｎａｌ  Ｒｅｃｅｉｖｅｄ  Ｑｕａｌｉｔｙ）値等を取得し測定結果に含んでもよい。ＲＳＲＱは、ＲＳの通信品質を表す指標である。
【００５３】
図５は、候補端末リスト格納部３０８に格納された候補端末リストの一例である。候補端末リスト８００は、候補端末リスト作成部３０６によって作成される。候補端末リスト８００は、他オペレータのネットワークへの切替の対象となる端末１０６の候補の情報を含む。また、候補端末リスト８００は、他オペレータと契約している端末１０６であって、他オペレータのネットワークから自オペレータのネットワークに切替が行われた端末１０６の情報を含む。
【００５４】
候補端末リスト８００は、例えば、端末識別情報８０１、通信中セルＩＤ８０９、通信中セルＲＳＲＰ８０２、切替候補セルＲＳＲＰ８０３、切替候補セルＩＤ８０７、契約情報８０４、利用中Ａｐｐ８０５、有効期限８０６、及びステータス８０８を含む。
【００５５】
なお、候補端末リスト８００は、自社管理装置及び他社管理装置が保有する切替条件の成否をチェックするために必要な情報を含む。例えば、端末１０６がキャリアネットワーク１０７下で得ているスループット値が切替条件の成否のチェックに用いられる場合、候補者リスト８００当該スループット値をさらに含む。
【００５６】
通信中セルＩＤ８０９は、端末１０６が通信している基地局のセルＩＤを示す。通信中セルＲＳＲＰ８０２は、端末１０６が通信しているセルを提供する基地局から受信する電波のＲＳＲＰ値を示す。
【００５７】
切替候補セルＩＤ８０７は、端末１０６の切替候補セルのセルＩＤを示す。端末１０６の切替候補セルは、端末１０６の隣接セルから選択されたセルである。切替候補セルＲＳＲＰ８０３は、切替候補セルＲＳＲＰを示す。契約情報８０４は、端末１０６が契約している契約プランの種別を示す。従量課金や、定額プランは、契約プランの一例である。これらの情報は、契約・認証情報取得部３０２によって、ＨＳＳ１０１から得られる。
【００５８】
利用中Ａｐｐ８０５は、端末１０６が利用しているアプリケーションの種別を示す。動画やＷｅｂブラウザ等は、アプリケーションの一例である。有効期限８０６は、対応する端末１０６の情報が、候補端末リスト８００から削除されるタイミングを示す。有効期限８０６は、情報が削除される時刻で示されてもよいし、削除されるまでの時間で示されてもよい。
【００５９】
ステータス８０８は、対応する端末１０６のネットワーク切り替え処理における状態を示す。ステータス８０８に格納される値は、例えば、「待機中」、「移動中」、又は「切替中」を含む。「待機中」は、対応する端末１０６が契約中のオペレータのネットワークに接続中であり、他オペレータのネットワークへの切り替えの待機中であることを示す。「移動中」は、対応する端末１０６が契約していないオペレータのネットワークへの切り替えを実行中であることを示す。
【００６０】
「切替中」は、対応する端末１０６が契約していないオペレータのネットワークに接続中であることを示す。また、他オペレータと契約している端末１０６であって、他オペレータのネットワークから自オペレータのネットワークに切替が行われた端末１０６のステータス８０８には、例えば、当該他オペレータの識別子が格納される。
【００６１】
なお、候補端末リスト８００に含まれる端末１０６の情報が候補端末リスト８００から削除される、有効期限到来以外の契機として、例えば、当該端末１０６が契約しているオペレータの別のセルへ移動したことや、当該端末１０６が含まれるための条件を満たさなくなったこと等がある。
【００６２】
図６は、マスタルールテーブル格納部３２０に格納されたマスタルールテーブルの一例を示す。マスタルールテーブル１３００は、オペレータＡとオペレータＢとの間ではオペレータＢがマスタであり、オペレータＡとオペレータＣとの間ではオペレータＡがマスタであり、オペレータＢとオペレータＣとの間では、オペレータＣがマスタであることを示す。
【００６３】
なお、マスタルールテーブル１３００は、自社を含まないオペレータ間、のマスタ関係の情報を含まなくてもよい。具体的には、例えば、管理装置Ａ１００−１が保持するマスタルールテーブル１３００は、オペレータＢとオペレータＣとの間のマスタ関係を示す情報を含まなくてもよい。
【００６４】
マスタでないオペレータの他社管理装置通信部３０５は、マスタであるオペレータの管理装置１００に対して、自社の管理装置１００が作成した候補端末リスト８００を、例えば、所定周期で送信する。マスタであるオペレータの候補端末決定部３０７は、対抗するオペレータの管理装置１００から候補端末リスト８００に含まれる候補端末の情報を受信すると、自社の管理装置１００内の候補端末リスト８００を参照し、切替条件格納部３０９に格納された切替条件に一致する自社の端末１０６を検索する。該当する端末１０６があった場合、マスタであるオペレータの他社管理装置通信部３０５は、対抗する管理装置１００へ当該端末１０６の情報を送信する。
【００６５】
図７は、管理装置Ａ１００−１による、候補端末リストＡ８００−１の更新処理の一例を示す。本実施例において、端末Ａ１０６−１が受信するオペレータＡのネットワークの電波強度をＲＳＲＰＡＡと表記し、端末Ａ１０６−１が受信可能なオペレータＡ以外のネットワークの電波強度をＲＳＲＰＡｉと表記する。同様に端末Ｂ１０６−２が受信するオペレータＢのネットワークの電波強度をＲＳＲＰＢＢと表記し、端末Ｂ１０６−２が受信可能なオペレータＢ以外のネットワークの電波強度をＲＳＲＰＢｉと表記する。
【００６６】
ＲＳＲＰＡｉの「ｉ」はオペレータの識別子を意味し、例えば、端末Ａ１０６−１がオペレータＢのネットワークで受信する電波強度を、ＲＳＲＰＡＢと表記する。仮に、端末Ａ１０６−１が、オペレータＢの複数のセル内に位置し、オペレータＢの複数の電波を受信可能な場合は、電波強度の最も大きい値をＲＳＲＰＡＢとして報告する。
【００６７】
端末Ａ１０６−１は、例えば、一定周期でＲＳＲＰＡＡの値を取得し、ｅＮＢ−Ａ１０５−１へ送信する（Ｓ４０１）。一定周期とは、例えば３０秒ごと等である。ｅＮＢ―Ａ１０５−１は、ｅＮＢ―Ａ１０５−１のセルに存在する端末Ａ１０６−１であって、事前に設定された閾値ＸｄＢｍより低いＲＳＲＰＡＡで通信を行っている端末Ａ１０６−１、に対して、周波数間電波強度測定制御を実施する（Ｓ４０２）。
【００６８】
ｅＮＢ−Ａ１０５−１による周波数間電波強度測定制御とは、ｅＮＢ−Ａ１０５−１が、端末Ａ１０６−１に対して、端末Ａ１０６−１が受信可能なセルの電波強度やセル識別情報等を含む情報を取得し、測定結果９００をｅＮＢ―Ａ１０５−１へ送信するよう要求する処理である。なお、ｅＮＢ―Ａ１０５−１は、ｅＮＢ―Ａ１０５−１のセルに存在する全ての端末Ａ１０６−１に対して、周波数間電波強度測定制御を実施してもよい。
【００６９】
この際ｅＮＢ−Ａ１０５−１は、例えば、隣接セルのセルＩＤを指定して電波強度測定を要求する。なお、ｅＮＢ１０５は、隣接セルのセルＩＤを予め保持しているものとする。端末Ａ１０６−１は、電波強度ＲＳＲＰＡＡと、１以上のオペレータのセルにおけるＲＳＲＰＡｉと、を測定し、測定した電波強度をｅＮＢ−Ａ１０５−１に対して報告する（Ｓ４０３）。
【００７０】
ｅＮＢ―Ａ１０５−１は、端末１０６より受信した測定結果９００を受信すると、例えば、最も大きいＲＳＲＰＡｉを選択し、「ＲＳＲＰＡｉ＞ＲＳＲＰＡＡ＋α」が成立するか否かを判定する（Ｓ４０５）。αは、事前に設定された値である。「ＲＳＲＰＡｉ＞ＲＳＲＰＡＡ＋α」が成立する場合、ｅＮＢ−Ａ１０５−１は、端末Ａ１０６−１はオペレータＡのネットワークからオペレータｉのネットワークへ切り替えた方が、電波環境が改善すると判断する。
【００７１】
この場合、ｅＮＢ−Ａ１０５−１は、測定結果９００を管理装置Ａ１００−１へ送信する（Ｓ４０６）。測定結果取得部Ａ３０１−１は、ｅＮＢ−Ａ１０５−１が送信した測定結果９００を取得する。契約・認証情報取得部Ａ３０２−１は、端末Ａ１０６−１の契約情報及び認証情報をＨＳＳ−Ａ１０１−１へ要求する（Ｓ４０７）。利用中Ａｐｐ情報取得部Ａ３２１−１は、端末Ａ１０６−１が利用しているアプリケーションの情報をＭＭＥ−Ａ１０２−１へ要求する(Ｓ４０８)。
【００７２】
ＨＳＳ−Ａ１０１−１は端末Ａ１０６−１の契約情報及び認証情報を管理装置Ａ１００−１に対して送信する（Ｓ４０９）。契約情報は、端末Ａ１０６−１の課金形態やプラン等を含む。ＭＭＥ−Ａ１０２−１は、端末Ａ１０６−１の利用中Ａｐｐ情報を管理装置Ａ１００−１に対して送信する(Ｓ４１０)。
【００７３】
候補端末リスト作成部Ａ３０６−１は、候補端末リストＡ８００−１中の端末Ａ１０６−１の情報を更新する（Ｓ４１１）。具体的には、候補端末リスト作成部Ａ３０６−１は、測定結果９００に含まれる通信中セルのセルＩＤ及びＲＳＲＰそれぞれを、通信中セルＩＤ８０９及び通信中セルＲＳＲＰ８０２それぞれに含める。
【００７４】
候補端末リスト作成部Ａ３０６−１は、例えば、測定結果９００に含まれるＲＳＲＰ値が最大である隣接セルのセルＩＤ及びＲＳＲＰを、それぞれ切替候補セルＩＤ８０７及び切替候補セルＲＳＲＰ８０３に含める。候補端末リスト作成部Ａ３０６−１は、ステップＳ４０９で取得した契約情報を契約情報８０４に含める。また、候補端末リスト作成部Ａ３０６−１は、例えば、更新時刻から所定時間経過した時刻を有効期限８０６に定める。
【００７５】
なお、ｅＮＢ−Ａ１０５−１がステップＳ４０５の閾値判定処理を行わず、測定結果９００を管理装置Ａ１００−１に対して送信し、測定結果取得部Ａ３０１−１が当該閾値判定処理を行ってもよい。このとき、ステップＳ４０６における当該閾値判定処理の条件が満たされた場合のみ、ステップＳ４０７以降の処理が行われる。
【００７６】
なお、ステップＳ４０２及びステップＳ４０５の閾値判定において、ＲＳＲＰの代わりにＲＳＲＱ等の通信品質を示す他の指標が用いられてもよい。なお、管理装置Ｂ１００−２、ＨＳＳ−Ｂ１０１−２、ｅＮＢ−Ｂ１０５−２、及び端末Ｂ１０６−２の間においても、図７と同様の処理が行われている。
【００７７】
測定結果取得部Ａ３０１−１が、ステップＳ４０５の閾値判定の条件が成立した端末のＡ１０６−１の情報を受信することにより、他オペレータのネットワークに接続を切り替えることにより通信品質が向上する端末Ａ１０６−１のみを候補端末リスト８００に含めることができる。ひいては、契約認証情報の取得処理及び後述する端末の切替処理における、切替条件判定の処理量を減少させることができる。
【００７８】
図８Ａ及び図８ＢはオペレータＡ、Ｂ間における端末１０６の切替処理の一例を示す。図８Ａは当該切替処理の前半部分を示し、図８Ｂは当該切替処理の後半部分を示す。以下、本実施例においてオペレータＡ、Ｂ間では、オペレータＢがマスタであるとする。図８Ａ及び図８Ｂでは、端末Ａ１０６−１と端末Ｂ１０６−２が１対１で交換される例を説明するが、１以上の端末Ａ１０６−１と１以上の端末Ｂ１０６−２が交換されてもよい。
【００７９】
例えば、タイマＡ３１０−１のカウントが終了すると（Ｓ５０１）、他社管理装置通信部Ａ３０５−１は、候補端末リストＡ８００−１から、ステータス８０８が「待機中」であるレコードを抽出する。以下、抽出したレコードに含まれる端末Ａ１０６−１を候補端末Ａと表記する。他社管理装置通信部Ａ３０５−１は、抽出したレコードを管理装置Ｂ１００−２に対して、送信する（Ｓ５０２）。ステップＳ５０２において、他社管理装置通信部Ａ３０５−１は、抽出したレコードからランダムに選択した所定数のレコードを送信してもよい。
【００８０】
他社管理装置通信部Ｂ３０５−２は、他社管理装置通信部Ａ３０５−１から受信した候補端末Ａの情報を候補端末決定部Ｂ３０７−２に転送する。候補端末決定部Ｂ３０７−２は、候補端末リストＢ８００−２から、ステータス８０８が「待機中」であるレコードを抽出する。以下、抽出した端末Ｂ１０６−２の情報を、候補端末リストＢ８００−２から抽出する。以下、抽出したレコードに含まれる端末Ｂ１０６−２を候補端末Ｂと表記する。
【００８１】
候補端末決定部Ｂ３０７−２は、候補端末Ａそれぞれに対して、切替条件格納部Ｂ３０９−２に格納された切替条件を満たす当該候補端末Ａと候補端末Ｂとの組み合わせを生成する（Ｓ５０３）。なお、１つの候補端末Ａに対して、切替条件を満たす複数の候補端末Ｂが存在する場合、例えば、ランダムに当該組み合わせを生成してもよいし、候補端末決定部Ｂ３０７−２は、切替処理を行った場合における両オペレータの無線リソースの使用量の改善量が最大になるよう、当該組み合わせを生成してもよい。無線リソースの使用量の改善量の算出方法については後述する。
【００８２】
候補端末決定部Ｂ３０７−２が、ステップＳ５０３において切替条件を満たす少なくとも１組の候補端末Ａと候補端末Ｂとの組み合わせを発見した場合、他社管理装置通信部Ｂ３０５−２は、当該組み合わせを示す情報と、当該候補端末Ｂの情報と、を管理装置Ａ１００−１へ送信する（Ｓ５０４）。ステップＳ５０４において、他社管理装置通信部Ｂ３０５−２が送信する候補端末Ｂの情報は、例えば、候補端末リストＢ８００−２の項目と同等の内容を含む。
【００８３】
候補端末決定部Ａ３０７−２は、当該組み合わせそれぞれに対して、切替条件格納部Ａ３０９−１に格納された切替条件を満たすか否かを判定することにより、切替を許可するか否かを決定する。他社管理装置通信部Ａ３０５−１は、切替を許可した組み合わせについて、切替許可の応答を管理装置Ｂ１００−２へ送信し（Ｓ５０５）、切替を許可した組み合わせに含まれる候補端末Ａの候補端末リスト８００中のステータスを「移動中」に変更する（Ｓ５０６）。
【００８４】
他社管理装置通信部Ｂ３０５−２は、他社管理装置通信部Ａ３０５−１から切替許可の応答を受信すると、切替の対象となる端末１０６のステータスを「移動中」に変更する（Ｓ５０６）。以下、切替が許可された組み合わせに含まれる端末Ａ１０６−１を切替対象端末Ａ、切替が許可された組み合わせに含まれる端末Ｂ１０６−２を切替対象端末Ｂと表記する。
【００８５】
他社管理装置通信部Ａ３０５−１は切替対象端末Ａの認証情報を管理装置Ｂ１００−２に送信し、他社管理装置通信部Ｂ３０５−２は切替対象端末Ｂの認証情報を管理装置Ａ１００−１に送信する（Ｓ５０７）。
【００８６】
契約・認証情報取得部Ａ３０２−１は、受信した認証情報をＨＳＳ−Ａ１０１−１へ送信する（Ｓ５０８）。契約・認証情報取得部Ｂ３０２−２は、受信した認証情報をＨＳＳ−Ｂ１０１−２へ送信する（Ｓ５０９）。ステップＳ５０８及びステップＳ５０９の処理により、両オペレータのＨＳＳ１０１それぞれは他オペレータの切替対象端末の認証情報を取得したため、ｅＮＢ１０５は他オペレータの切替対象の端末１０６から接続要求を受信した場合に、認証を実行することができる。
【００８７】
切替先情報送信部Ａ３０３−１は、ｅＮＢ−Ａ１０５−１へ切替対象端末Ａの切替先情報を送信する（Ｓ５１０）。切替先情報は、例えば、対応する端末１０６の切替候補セルＩＤ８０７を含む。切替先情報送信部Ｂ３０３−２は、ｅＮＢ−Ｂ１０５−２へ端末Ｂ１０６−２の切替先情報を送信する（Ｓ５１１）。
【００８８】
ｅＮＢ−Ａ１０５−１は、切替対象端末Ａの切替先情報を受信すると、切替対象端末Ａに対し、切替先情報が示す切替先のｅＮＢ−Ｂ１０５−２へハンドオーバを行う指示を送信する（Ｓ５１２）。ｅＮＢ−Ｂ１０５−２は、切替対象端末Ｂの切替先情報を受信すると、切替対象端末Ｂに対し、切替先情報が示す切替先のｅＮＢ−Ａ１０５−１へハンドオーバを行う指示を送信する（Ｓ５１３）。切替対象端末Ａ、及び切替対象端末Ｂはハンドオーバ指示を受信すると、切替先のｅＮＢ１０５に対して接続要求を送信する（Ｓ５１４、Ｓ５１５）。
【００８９】
ｅＮＢ−Ｂ１０５−２は、接続要求を受信すると、ＨＳＳ−Ｂ１０１−２に対して端末Ａ１０６−１の認証を行う（Ｓ５１６）。同様に、ｅＮＢ−Ａ１０５−１は、接続要求を受信すると、ＨＳＳ−Ａ１０１−１に対して端末Ｂ１０６−２の認証を行う（Ｓ５１７）。
【００９０】
ステップＳ５１６における認証処理が成功すると、ｅＮＢ−Ｂ１０５−２は切替対象端末Ａへ接続指示を出し（Ｓ５１８）、接続するｅＮＢ１０５の切替を実行し（Ｓ５２０）、切替対象端末ＡはｅＮＢ−Ｂ１０５−２と通信を開始する（Ｓ５２２）。同様に、ステップＳ５１７における認証処理が成功すると、ｅＮＢ−Ａ１０５−１は切替対象端末Ｂへ接続指示を出し（Ｓ５１９）、接続するｅＮＢ１０５の切替を実行し（Ｓ５２１）、切替対象端末ＢはｅＮＢ−Ａ１０５−１と通信を開始する（Ｓ５２３）。
【００９１】
ステップＳ５２０における切替が成功すると、ｅＮＢ−Ｂ１０５−２は、切替成功通知を管理装置Ｂ１００−２へ送信する（Ｓ５２４）。同様に、ステップＳ５２１における切替が成功すると、ｅＮＢ−Ａ１０５−１は、切替成功通知を管理装置Ａ１００−１へ送信する（Ｓ５２５）。
【００９２】
他社管理装置通信部Ｂ３０５−２は、Ｓ５２４における切替成功通知を受信すると、管理装置Ａ１００−１に対して、切替成功通知を送信する（Ｓ５２６）。他社管理装置通信部Ａ３０５−１は、Ｓ５２５における切替成功通知を受信すると、管理装置Ｂ１００−２に対して、切替成功通知を送信する（Ｓ５２７）。候補端末決定部３０７は、候補端末リスト８００の、他オペレータのネットワークへ切替が完了した自オペレータの端末１０６のステータス８０８を「切替中」に変更する（Ｓ５２８）。
【００９３】
候補端末決定部３０７は、併せて、自オペレータのネットワークへ切替が完了した他オペレータの端末１０６の情報を候補端末リスト８００に加え、当該端末１０６のステータス８０８に、当該他オペレータの識別子を格納する。これにより、端末１０６の切替処理が終了する。
【００９４】
なお、例えば、ステップＳ５０９又はステップＳ５１０における切替先情報通知を行ってから所定時間経過しても、他オペレータの管理装置１００から切替成功通知を受信しない場合、候補端末決定部３０７は、候補端末リスト８００の切替対象の端末１０６のステータス８０８を「待機中」に戻してもよい。
【００９５】
図９は、端末Ａ１０６−１が切替先のオペレータＢのネットワークで通信を行っている場合において、切替元であるオペレータＡのネットワークの電波環境が改善したことを契機に行われる切り戻し処理の一例を示す。
【００９６】
端末Ａ１０６−１は、例えば、一定周期で、端末Ａ１０６−１のオペレータＡのネットワークにおけるＲＳＲＰ値であるＲＳＲＰＡＢを取得し、ｅＮＢ−Ｂ１０５−２へ送信する（Ｓ６０１）。ｅＮＢ−Ｂ１０５−２は、ＲＳＲＰＡＢの値が、事前に設定された閾値ＹｄＢｍより低い値であるか否かを判定する（Ｓ６０２）。
【００９７】
ｅＮＢ−Ｂ１０５−２は、ＲＳＲＰＡＢの値がＹｄＢｍより低い値であると判定した場合、端末Ａ１０６−１に対して、周波数間電波強度測定制御を実施する（Ｓ６０３）。端末Ａ１０６−１は、測定結果９００をｅＮＢ−Ｂ１０５−２に通知する（Ｓ６０４）。
【００９８】
ｅＮＢ−Ｂ１０５−２は、不等式「ＲＳＲＰＡＡ＞ＲＳＲＰＡＢ＋β」が成立するか否かを判定する、閾値判定処理を行う（Ｓ６０５）。なお、βは、事前に設定された値である。当該不等式が成立する場合、オペレータＡのネットワークの電波環境が改善していることを意味する。このとき、ｅＮＢ−Ｂ１０５−２は、端末Ａ１０６−１から通知された測定結果を管理装置Ｂ１００−２へ送信する（Ｓ６０６）。
【００９９】
測定結果取得部Ｂ３０１−２がＳ６０６における測定結果を受信すると、他社管理装置通信部Ｂ３０５−２は、端末Ａ１０６−１の切り戻し処理を実行するための通知である、切り戻し通知を、管理装置Ａ１００−１に対して、送信する（Ｓ６０７）。また、契約・認証情報取得部Ｂ３０２−２は、ステップＳ６０７において、端末Ａ１０６−１がオペレータＢのネットワークに接続している間の使用量の情報を、ＭＭＥ−Ｂ１０２−２、ＰＧＷ−Ｂ１０３−２、又はＳＧＷ−Ｂ１０４−２から取得し、他社管理装置通信部Ｂ３０５−２は、使用量の情報を管理装置Ａ１００−１へ通知する。使用量情報は、例えば、オペレータＡ、Ｂ間での料金清算や、記録を残すために使われる。
【０１００】
他社管理装置通信部Ｂ３０５−２は、切り戻し処理を実行するため、切戻先であるｅＮＢ−Ａ１０５−１の情報をｅＮＢ−Ｂ１０５−２へ送信する（Ｓ６０８）。他社管理装置通信部Ａ３０５−１は、ステップＳ６０７における切り戻し通知及び使用量通知を受信すると、管理装置Ｂ１００−２に対して当該通知を受信した旨を示す応答を行う（Ｓ６０９）。契約・認証情報取得部Ｂ３０２−２は、ＨＳＳ−Ｂ１０１−２に対して、端末Ａ１０６−１の認証情報を削除するよう指示し、ＨＳＳ−Ｂ１０１−２は当該指示に従い、端末Ａ１０６−１の認証情報を削除する（Ｓ６１０）。
【０１０１】
ｅＮＢ−Ｂ１０５−２は、端末Ａ１０６−１へ、ｅＮＢ−Ａ１０５−１へハンドオーバをするよう指示を出す（Ｓ６１１）。端末Ａ１０６−１は、切替時と同様の処理を行い、切り戻し処理を実行する（Ｓ６１２）。切り戻し処理が成功すると、ｅＮＢ−Ｂ１０５−２は、管理装置Ａ１００−１及び管理装置Ｂ１００−２に対して切り戻し成功通知を送信する（Ｓ６１３、Ｓ６１４）。
【０１０２】
切替結果受信部Ａ３０４−１が、切り戻し成功通知を受信すると、候補端末リスト作成部Ａ３０６−１は候補端末リストＡ８００−１から、当該端末Ａ１０６−１の情報を削除する（Ｓ６１５）。また、切替結果受信部Ｂ３０４−２が、切り戻し成功通知を受信すると、候補端末リスト作成部Ｂ３０６−２は、端末Ａ１０６−１の情報を候補端末リストＢ８００−２から削除する（Ｓ６１５）。以上の処理により、端末Ａ１０６−１は、より高品質な通信をすることができるオペレータＡのネットワークに接続を戻すことができる。
【０１０３】
なお、ｅＮＢ−Ｂ１０５−２がステップＳ６０５の閾値判定処理を行わず、測定結果９００を管理装置Ｂ１００−２に対して送信し、測定結果取得部Ｂ３０１−２が当該閾値判定処理を行ってもよい。このとき、ステップＳ６０６における当該閾値判定処理の条件が満たされた場合のみ、ステップＳ６０７以降の処理が行われる。なお、端末Ｂ１０６−２が切替先のオペレータＡのネットワークで通信を行っている場合において、切替元であるオペレータＢのネットワークの電波環境が改善した際の切り戻し処理は、図９に示した処理と同様である。
【０１０４】
図１０は、端末Ａ１０６−１が切替先のオペレータＢのネットワークで通信を行っている場合において、端末Ａ１０６−１が使用していたサービスが終了したことを契機に行われる切り戻し処理の一例を示す。
【０１０５】
端末Ａ１０６−１において通信が終了すると（Ｓ７０１）、ｅＮＢ−Ｂ１０５−２は、コネクションリリースのメッセージを端末Ａ１０６−１に送信し（Ｓ７０２）、端末Ａ１０６−１は通信を切断する（Ｓ７０３）。端末Ａ１０６−１における通信が切断されると、ｅＮＢ−Ｂ１０５−２は、管理装置Ｂ１００−２へ切断通知を送信する（Ｓ７０４）。
【０１０６】
切替結果受信部Ｂ３０４−２が、ステップＳ７０４における切断通知を受信すると、他社管理装置通信部Ｂ３０５−２は、管理装置Ａ１００−１へ切断通知を送信する（Ｓ７０５）。契約・認証情報取得部Ｂ３０２−２は、ＨＳＳ−Ｂ１０１−２に対して、端末Ａ１０６−１の認証情報を削除するよう指示し、ＨＳＳ−Ｂ１０１−２は当該指示に従い、端末Ａ１０６−１の認証情報を削除する（Ｓ７０６）。
【０１０７】
他社管理装置通信部Ａ３０５−１が切断通知を受信すると、候補端末リスト作成部Ａ３０６−１は候補端末リストＡ８００−１から、当該端末Ａ１０６−１の情報を削除する（Ｓ７０７）。また、切替結果受信部Ｂ３０４−２が、切断通知を受信すると、候補端末リスト作成部Ｂ３０６−２は、端末Ａ１０６−１の情報を候補端末リストＢ８００−２から削除する（Ｓ７０７）。以上の処理により、端末Ａ１０６−１は、切替先のネットワークから一度切断されると、自律的に元のネットワークに戻る。
【０１０８】
図１１は、図８Ａ及び図８Ｂに例示した処理において、管理装置Ａ１００−１が管理装置Ｂ１００−２へ候補端末リスト８００を送信する処理の例を示す。前述の通り、管理装置Ａ１００−１はマスタである管理装置Ｂ１００−２に対して、ある一定の周期で候補端末リスト８００を送信する。
【０１０９】
タイマＡ３１０−１のカウントが０になる（Ｓ１００１）。他社管理装置通信部Ａ３０５−１は、候補端末リスト８００からステータス８０８が「待機中」であるレコード、即ち候補端末Ａの情報を管理装置Ｂ１００−２へ送信する（Ｓ１００２）。タイマＡ３１０−１は、タイマ値を初期化する（Ｓ１００３）。
【０１１０】
図１２は、図８Ａ及び図８Ｂに例示した処理において、マスタである管理装置Ｂ１００−２が管理装置Ａ１００−１より候補端末Ａの情報を受信し、ｅＮＢ−Ｂ１０５−２へ切替先情報を送信するまでの処理の例を示す。
【０１１１】
他社管理装置通信部Ｂ３０５−２は、管理装置Ａ１００−１から候補端末Ａの情報を受信する（Ｓ１１０１）。候補端末決定部Ｂ３０７−２は、候補端末リストＢ８００−２のステータス８０８が「待機中」である端末、即ち候補端末Ｂの情報を抽出する。候補端末決定部Ｂ３０７−２は、候補端末Ａそれぞれに対して、切替条件格納部Ｂ３０９−２に格納された切替条件を満たす、当該候補端末Ａと候補端末Ｂとの組み合わせを生成する（Ｓ１１０２）。
【０１１２】
候補端末決定部Ｂ３０７−２は、当該組み合わせが生成された場合（Ｓ１１０３：ＹＥＳ）、ステップＳ１１０４へ進む。当該組み合わせが生成されなかった、即ち切替条件を満たす候補端末Ａと候補端末Ｂとの組み合わせが存在しない場合（Ｓ１１０３：ＮＯ）、ステップＳ１１１０へ進む。
【０１１３】
候補端末決定部Ｂ３０７−２は、候補端末リストＢ８００−２中の切替対象端末Ｂのステータスを「移動中」に変更する（Ｓ１１０４）。他社管理装置通信部Ｂ３０５−２は、切替対象端末Ｂの情報を管理装置Ａ１００−１へ送信する（Ｓ１１０５）。他社管理装置通信部Ｂ３０５−２が管理装置Ａ１００−１から切替許可応答を受信した場合（Ｓ１１０６：ＹＥＳ）、ステップＳ１１０７へ進む。他社管理装置通信部Ｂ３０５−２が管理装置Ａ１００−１から切替許可応答を受信しなかった場合（Ｓ１１０６：ＮＯ）、処理を終了する。
【０１１４】
他社管理装置通信部Ｂ３０５−２は、切替対象端末Ｂの認証情報を管理装置Ａ１００−１に送信し、切替対象端末Ａの認証情報を管理装置Ａ１００−１から受信する（Ｓ１１０７）。契約・認証情報取得部Ｂ３０２−２は、管理装置Ａ１００−１より受信した、認証情報をＨＳＳ―Ｂ１０１−２へ送信する（Ｓ１１０８）。切替先情報送信部Ｂ３０３−２は、ｅＮＢ−Ｂ１０５−２へ切替対象端末Ｂの切替先情報を送信する（Ｓ１１０９）。
【０１１５】
ステップＳ１１０３において切替条件を満たす候補端末Ａと候補端末Ｂとからなる組み合わせが存在しない場合、他社管理装置通信部Ｂ３０５−２は切替条件に一致する組み合わせが存在しないことを管理装置Ａ１００−１へ通知する（Ｓ１１１０）。候補端末決定部Ｂ３０７−２は、候補端末リストＢ８００−２に含まれる端末Ｂ１０６−２のステータスを「待機中」に変更する（Ｓ１１１１）。
【０１１６】
以上、本実施例の通信システム１０において、マスタであるオペレータの管理装置１００が、マスタでないオペレータの管理装置１００から受信した候補端末リストから、切替条件に一致する切替候補者を選択する。これにより、本実施例の通信システム１０は、２つの管理装置１００が互いに候補端末リスト８００を送り合う場合と比較して、少ない処理量で候補者の決定を実施することができる。
【０１１７】
図１３は、図８Ａ及び図８Ｂに例示した処理において、管理装置Ａ１００−１が管理装置Ｂ１００−２から切替候補者の情報を受信後に、端末Ａ１０６−１、端末Ｂ１０６−２の切替を許可するか否かの判断を行う処理の例を示す。
【０１１８】
他社管理装置通信部Ａ３０５−１は、他社管理装置通信部Ｂ３０５−２から、候補端末Ａと候補端末Ｂとの組み合わせと、当該候補端末Ｂの情報と、を示す情報を受信する（Ｓ１２０１）。候補端末決定部Ａ３０７−１は、切替を許可するか否かの判定を行う（Ｓ１２０２）。即ち、候補端末決定部Ａ３０７−１は、当該組み合わせが、切替条件格納部Ａ３０９−１に格納された切替条件を満たすか否かを判定する。
【０１１９】
候補端末決定部Ａ３０７−１が切替を許可すると判定した場合（Ｓ１２０２：ＹＥＳ）、他社管理装置通信部Ａ３０５−１は、管理装置Ｂ１００−２に対して切替許可応答をｅＮＢ−Ｂ１０５−２へ送信する（Ｓ１２０３）。
【０１２０】
候補端末決定部Ａ３０７−１が切替を許可しないと判定した場合（Ｓ１２０２：ＮＯ）、候補端末決定部Ａ３０７−１は、候補端末リストＡ８００−１に含まれる端末Ａ１０６−１のステータスを「切替中」に変更する（Ｓ１２０４）。他社管理装置通信部Ａ３０５−１は、管理装置Ｂ１００−２へ切替拒否を示す通知を送信する（Ｓ１２０５）。
【０１２１】
図１４は、図８Ａ及び図８Ｂに例示した処理において、管理装置Ａ１００−１が、ｅＮＢ−Ａ１０５−１より切替結果を受信した際に行う処理の例を示す。図１４に示す処理は、マスタである管理装置１００及びマスタでない管理装置１００の双方が実施する処理であるが、ここでは管理装置Ａ１００−１の動作を例として示す。
【０１２２】
切替結果受信部Ａ３０４−１はｅＮＢ−Ａ１０５−１より切替結果を受信する（Ｓ１４０１）。切替結果受信部Ａ３０４−１は切替結果が成功であったかか否か判定する（Ｓ１４０２）。切替結果受信部Ａ３０４−１が、切替結果が成功であったと判定した場合（Ｓ１４０２：ＹＥＳ）、他社管理装置通信部Ａ３０５−１は、管理装置Ｂ１００−２へ切替成功通知を送信する（Ｓ１４０３）。
【０１２３】
切替結果受信部Ａ３０４−１は、候補端末リストＡ８００−１中の、切替が成功した端末Ａ１０６−１のステータスを「切替中」に変更する（Ｓ１４０４）。切替結果受信部Ａ３０４−１が、切替結果が成功でないと判定した場合（Ｓ１４０２：ＮＯ）へ他社管理装置通信部Ａ３０５−１は、管理装置Ｂ１００−２へ切替失敗のメッセージを送信する（Ｓ１４０５）。
【０１２４】
管理装置Ａ１００−１と管理装置Ｂ１００−２が、互いに切替結果を通知することにより、端末Ａ１０６−１の切替が失敗した際に候補端末リスト８００から端末Ａ１０６−１の情報が消えることを防ぐことができる。即ち、端末Ａ１０６−１が切替条件を満たす限り切替候補端末として待機することが可能となる。
【０１２５】
図１５は、切替条件格納部３０９に格納される切替条件に使用される指標の一例を示す。ここでは、端末Ａ１０６−１と端末Ｂ１０６−２の切替を例を示す。切替条件格納部Ａ３０９−１及び切替条件格納部Ｂ３０９−２に格納された切替条件は、例えば、切替を許可するオペレータ間で事前に合意された条件である。
【０１２６】
なお、切替条件格納部Ａ３０９−１に格納された切替条件と、切替条件格納部Ｂ３０９−２に格納された切替条件と、が異なるものであってもよい。管理装置１００は、双方のオペレータが定めた条件を満たす端末Ａ１０６−１及び端末Ｂ１０６−２を交換することにより、端末Ａ１０６−１及び端末Ｂ１０６−２を他オペレータのネットワークに切り替えることで、オペレータ間の競合性を保つことができる。
【０１２７】
以下、切替後に改善する無線リソースの使用量に基づく同一の切替条件を、管理装置Ａ１００−１及び管理装置Ｂ１００−２が使用する例を説明する。例えば、ｅＮＢ−Ａ１０５−１が、端末Ａ１０６−１がキャリアネットワークＡ１０７−１下で得ているスループットの値ＴＡを定期的に計測し、ステップＳ４０６において測定結果９００とともに、管理装置Ａ１００−１に対してＴＡを報告する。同様に、ｅＮＢ−Ｂ１０５−２が、端末Ｂ１０６−２がキャリアネットワークＢ１０７−２下で得ているスループットの値ＴＢを定期的に計測し、ステップＳ４０６において測定結果９００とともに、管理装置Ｂ１００−２に対してＴＢを報告する。
【０１２８】
例えば、他社管理装置通信部Ａ３０５−１は、ステップＳ５０２において、候補端末Ａの情報とともに、ＴＡ、ＲＳＲＰＡＡ、及びＲＳＲＰＡＢを管理装置Ｂ１００−２に対して送信する。他社管理装置通信部Ｂ３０５−２は、ステップＳ５０４において、切替条件を満たす端末の情報とともに、ＴＢ、ＲＳＲＰＢＢ、及びＲＳＲＰＢＡを管理装置Ａ１００−１に対して送信する。
【０１２９】
候補端末決定部Ａ３０７−１及び候補端末決定部Ｂ３０７−２は、端末Ａ１０６−１が、キャリアネットワークＢ１０７−２に切り替えを行う場合に改善する無線リソースの使用量「ｘ」を、例えば、以下の計算式によって求める。
【０１３０】
ｘ  ＝  ＴＡ／ＲＳＲＰＡＡ−ＴＡ／ＲＳＲＰＡＢ
【０１３１】
同様に、候補端末決定部Ａ３０７−１及び候補端末決定部Ｂ３０７−２は、端末Ｂ１０６−２がキャリアネットワークＡ１０７−１に切替を行う場合に改善する無線リソースの使用量「ｙ」を、例えば、以下の計算式で求める。
【０１３２】
ｙ  ＝  ＴＢ／ＲＳＲＰＢＢ−ＴＢ／ＲＳＲＰＢＡ
【０１３３】
切替条件が、「切替後に改善する無線リソースの使用量が同値の場合切替を実行する」である場合、候補端末決定部Ａ３０７−１及び候補端末決定部Ｂ３０７−２は、「ｘ＝ｙ」が成立する場合にのみ、端末１０６の切替を許可する。切替条件が、「切替後に改善する無線リソースの使用量の値の差がａ［ｂｐｓ］以内である場合に切替を実行する」である場合、「ｘ−ｙ＜ａ［ｂｐｓ］」が成立する場合にのみ、候補端末決定部Ａ３０７−１及び候補端末決定部Ｂ３０７−２は端末１０６の切替を許可する。
【０１３４】
なお、切替条件は、例えば、複数の端末Ａ１０６−１それぞれの「ｘ」の総和と、複数の端末Ｂ１０６−２それぞれの「ｙ」の総和と、の差が所定の閾値以内であること、であってもよい。当該切替条件が成立するとき、管理装置１００は、当該複数の端末Ａ１０６−１及び当該複数の端末Ｂ１０６−２の接続を他オペレータのネットワークに切り替える切替処理を行う。
【０１３５】
なお、本計算式ではＲＳＲＰの代わりにＲＳＲＱ等の通信品質を示す他の値を使用し無線リソース使用量の差分を算出することも可能である。なお、管理装置１００は、ＲＳＲＰと同様の処理により、ＲＳＲＱを取得することができる。
【０１３６】
なお、ここまで無線リソースの使用量に基づく切替条件について説明したが、管理装置１００は、例えば、候補端末リスト８００に含まれる項目の値に基づく切替条件を用いてもよい。「同種の利用中Ａｐｐ８０５を含む」、及び「トラフィック量が最大の利用中Ａｐｐ８０５が同種である」は、切替条件の一例である。また、「契約情報８０４が同種である」は切替条件の一例である。
【０１３７】
管理装置１００は、改善する無線リソースの使用量に加え、利用中のアプリケーションや契約プランが同種であることを組み合わせた交換条件を用いることにより、オペレータにとってはより利用状態が類似する端末の交換を行うことがでる。これにより管理装置１００は、オペレータ間の公平性を保ち、オペレータ間の競合性を維持することができる。
【０１３８】
本実施例の管理装置１００が前述した端末１０６の切替処理を実行することにより、切替対象の端末１０６は、より性能の良いネットワークに接続することができ、ひいては性能の高い通信を維持することができる。また、管理装置１００が当該切替処理を実行することにより、切替対象の端末１０６のオペレータは、自社の無線リソースを効率的に使用することが可能になるため、切替対象の端末１０６と同一エリアに存在する他の端末１０６の性能も向上させることができる。
【０１３９】
また、管理装置１００は、オペレータが定めた条件を満たす端末を交換することにより、オペレータ間の競合性を維持しつつ、端末１０６の切替処理を行うことができる。つまり、管理装置１００は、オペレータ、及び端末の利用者にとって利点のある切替処理を実行する。
【０１４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【０１４１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【０１４２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１４３】
１００  管理装置、１０１  ＨＳＳ、１０５  ｅＮＢ、１０６  端末、３０２  契約・認証情報取得部、３０３  切替先情報送信部、３０４  切替結果受信部、３０５  他社管理装置通信部、３０６  候補端末リスト作成部、３０７  候補端末決定部、３０８  候補端末リスト格納部、３０９  切替条件格納部
【図１】
2017038216.tif 000003
【図２】
2017038216.tif 000004
【図３】
2017038216.tif 000005
【図４】
2017038216.tif 000006
【図５】
2017038216.tif 000007
【図６】
2017038216.tif 000008
【図７】
2017038216.tif 000009
【図８Ａ】
2017038216.tif 000010
【図８Ｂ】
2017038216.tif 000011
【図９】
2017038216.tif 000012
【図１０】
2017038216.tif 000013
【図１１】
2017038216.tif 000014
【図１２】
2017038216.tif 000015
【図１３】
2017038216.tif 000016
【図１４】
2017038216.tif 000017
【図１５】
2017038216.tif 000018